(57)【要約】【課題】移動体を第１，第２停止位置に確実に位置決めする。【解決手段】移動体３１Ａが第１停止位置近傍に至った際に、第１バネ４３が移動体３１Ａの第１カム状バネ摺接部３４ｄに摺接しながら第１カム状バネ摺接部３４ｄの端部に掛止される動作に伴ってアーム４２が一方に回動して、第１バネ４３の付勢力が伝達されたアーム４２の第２押圧部４２ｃで移動体３１Ａの第２被押圧部３１ｊを第１ストッパ２１ｃ側に押圧する一方、移動体３１Ａが第２停止位置近傍に至った際に、第２バネ４４が移動体３１Ａの第２カム状バネ摺接部３４ｅに摺接しながら第２カム状バネ摺接部３４ｅの端部に掛止される動作に伴ってアーム４２が他方に回動して、第２バネ４４の付勢力が伝達されたアーム４２の第１押圧部４２ｂで移動体３１Ａの第１被押圧部３１ｉを第２ストッパ２１ｄ側に押圧することを特徴とする直線移動機構３０Ａを提供する。【選択図】図５
2008171508.tif 000002
【特許請求の範囲】
【請求項１】
ベース上で一軸方向に所定の間隔を離して設けられた第１ストッパ及び第２ストッパと、
前記ベースに設けられた駆動源と、
前記ベース上で前記第１ストッパに当接する第１停止位置と、前記第２ストッパに当接する第２停止位置との間をガイド部材に沿って前記一軸方向に前記駆動源により駆動されて直線移動すると共に、移動方向と平行にガイド壁部が長尺に形成され、且つ、前記第１，第２ストッパと対向する各側に第１，第２カム状バネ摺接部及び第１，第２被押圧部が形成された移動体と、
前記ベース上に前記第１，第２ストッパとの中間位置を中心にして回動可能に設けられ、且つ、前記中間位置の両側に間隔を離して第１，第２押圧部が形成されていると共に、前記第１，第２ストッパ側にそれぞれ第１，第２バネを取り付けたアームと、を備え、
前記移動体が前記第１停止位置と前記第２停止位置との間を移動する最中に、前記移動体のガイド壁部に前記アームの第１，第２押圧部が当接して該アームが前記移動体の移動方向と平行な姿勢を取り、
前記移動体が前記第１停止位置近傍に至った際に、前記第１バネが前記移動体の第１カム状バネ摺接部に摺接しながら該第１カム状バネ摺接部の端部に掛止される動作に伴って前記アームが一方に回動して、前記第１バネの付勢力が伝達された前記アームの第２押圧部で前記移動体の第２被押圧部を前記第１ストッパ側に押圧する一方、前記移動体が前記第２停止位置近傍に至った際に、前記第２バネが前記移動体の第２カム状バネ摺接部に摺接しながら該第２カム状バネ摺接部の端部に掛止される動作に伴って前記アームが他方に回動して、前記第２バネの付勢力が伝達された前記アームの第１押圧部で前記移動体の第１被押圧部を前記第２ストッパ側に押圧することを特徴とする直線移動機構。
【請求項２】
複数種の光ディスクに対して選択的に記録又は再生をするために、第１開口数の第１対物レンズを内蔵した第１光ピックアップ部と、第２開口数の第２対物レンズを内蔵した第２光ピックアップ部とをそれぞれの記録再生位置に切り換え可能に構成した光ディスク装置において、
前記複数種の光ディスクの径方向に移動自在な光ピックアップベースと、
前記光ピックアップベース上で前記複数種の光ディスクの径方向と直交した一軸方向に所定の間隔を離して設けられた第１ストッパ及び第２ストッパと、
前記光ピックアップベースに設けられた駆動源と、
前記第１，第２光ピックアップ部が取り付けられており、前記光ピックアップベース上で前記第１光ピックアップ部を記録再生位置に位置決めするために前記第１ストッパに当接する第１停止位置と、前記第２光ピックアップ部を記録再生位置に位置決めするために前記第２ストッパに当接する第２停止位置との間をガイド部材に沿って前記一軸方向に前記駆動源により駆動されて直線移動すると共に、移動方向と平行にガイド壁部が長尺に形成され、且つ、前記第１，第２ストッパと対向する各側に第１，第２カム状バネ摺接部及び第１，第２被押圧部が形成された光ピックアップ移動体と、
前記光ピックアップベース上に前記第１，第２ストッパとの中間位置を中心にして回動可能に設けられ、且つ、前記中間位置の両側に間隔を離して第１，第２押圧部が形成されていると共に、前記第１，第２ストッパ側にそれぞれ第１，第２バネを取り付けたアームと、を備え
前記光ピックアップ移動体が前記第１停止位置と前記第２停止位置との間を移動する最中に、前記光ピックアップ移動体のガイド壁部に前記アームの第１，第２押圧部が当接して該アームが前記光ピックアップ移動体の移動方向と平行な姿勢を取り、
前記光ピックアップ移動体が前記第１停止位置近傍に至った際に、前記第１バネが前記光ピックアップ移動体の第１カム状バネ摺接部に摺接しながら該第１カム状バネ摺接部の端部に掛止される動作に伴って前記アームが一方に回動して、前記第１バネの付勢力が伝達された前記アームの第２押圧部で前記光ピックアップ移動体の第２被押圧部を前記第１ストッパ側に押圧する一方、前記光ピックアップ移動体が前記第２停止位置近傍に至った際に、前記第２バネが前記光ピックアップ移動体の第２カム状バネ摺接部に摺接しながら該第２カム状バネ摺接部の端部に掛止される動作に伴って前記アームが他方に回動して、前記第２バネの付勢力が伝達された前記アームの第１押圧部で前記光ピックアップ移動体の第１被押圧部を前記第２ストッパ側に押圧することを特徴とする光ディスク装置。
【請求項３】
ベース上で一軸方向に所定の間隔を離して設けられた第１ストッパ及び第２ストッパと、
前記ベースに設けられた駆動源と、
前記ベース上で前記第１ストッパに当接する第１停止位置と、前記第２ストッパに当接する第２停止位置との間をガイド部材に沿って前記一軸方向に直線移動すると共に、移動方向と平行にガイド壁部が長尺に形成され、且つ、前記第１，第２ストッパと対向する各側に第１，第２被押圧部が形成された移動体と、
前記移動体に跨った状態で前記ガイド部材に沿って前記一軸方向に前記駆動源により駆動されて直線移動自在に設けられており、且つ、前記移動体と重なる部位にＺ字状カム溝部が形成されていると共に、前記第１，第２ストッパと対向する各側に第１，第２カム状バネ摺接部が形成されたナット部材と、
前記移動体と前記ナット部材との間に介装されており、一端側に突出した第１ピン部が前記移動体の裏面に回動可能に支持されていると共に、他端側に突出した第２ピン部が前記ナット部材のＺ字状カム溝部に挿通されたリンクアームと、
前記ベース上に前記第１，第２ストッパとの中間位置を中心にして回動可能に設けられ、且つ、前記中間位置の両側に間隔を離して第１，第２押圧部が形成されていると共に、前記第１，第２ストッパ側にそれぞれ第１，第２バネを取り付けたアームと、
前記ベース上に固着され、且つ、前記ナット部材のＺ字状カム溝部に挿通された前記リンクアームの第２ピン部が嵌合する略階段状カム溝部を形成したカムプレートと、を備え、
前記リンクアームの第２ピン部による前記Ｚ字状カム溝部及び前記略階段状カム溝部への嵌合状態により、前記移動体と前記ナット部材とが一体に前記ガイド部材に案内されて前記第１停止位置と前記第２停止位置との間を移動する最中に、前記移動体のガイド壁部に前記アームの第１，第２押圧部が当接して該アームが前記移動体の移動方向と平行な姿勢を取り、
前記移動体が前記第１ストッパに当接して前記第１停止位置に至った後に、前記リンクアームの第２ピン部による前記Ｚ字状カム溝部及び前記略階段状カム溝部への嵌合状態により、前記ナット部材のみが更に前記第１ストッパ側に移動して、前記第１バネが前記ナット部材の第１カム状バネ摺接部に摺接しながら該第１カム状バネ摺接部の端部に掛止される動作に伴って前記アームが一方に回動して、前記第１バネの付勢力が伝達された前記アームの第２押圧部で前記移動体の第２被押圧部を前記第１ストッパ側に押圧する一方、前記移動体が前記第２ストッパに当接して前記第２停止位置に至った後に、前記リンクアームの第２ピン部による前記Ｚ字状カム溝部及び前記略階段状カム溝部への嵌合状態により、前記ナット部材のみが更に前記第２ストッパ側に移動して、前記第２バネが前記ナット部材の第２カム状バネ摺接部に摺接しながら該第２カム状バネ摺接部の端部に掛止される動作に伴って前記アームが他方に回動して、前記第２バネの付勢力が伝達された前記アームの第１押圧部で前記移動体の第１被押圧部を前記第２ストッパ側に押圧することを特徴とする直線移動機構。
【請求項４】
複数種の光ディスクに対して選択的に記録又は再生をするために、第１開口数の第１対物レンズを内蔵した第１光ピックアップ部と、第２開口数の第２対物レンズを内蔵した第２光ピックアップ部とをそれぞれの記録再生位置に切り換え可能に構成した光ディスク装置において、
前記複数種の光ディスクの径方向に移動自在な光ピックアップベースと、
前記光ピックアップベース上で前記複数種の光ディスクの径方向と直交した一軸方向に所定の間隔を離して設けられた第１ストッパ及び第２ストッパと、
前記光ピックアップベースに設けられた駆動源と、
前記第１，第２光ピックアップ部が取り付けられており、前記光ピックアップベース上で前記第１光ピックアップ部を記録再生位置に位置決めするために前記第１ストッパに当接する第１停止位置と、前記第２光ピックアップ部を記録再生位置に位置決めするために前記第２ストッパに当接する第２停止位置との間をガイド部材に沿って前記一軸方向に直線移動すると共に、移動方向と平行にガイド壁部が長尺に形成され、且つ、前記第１，第２ストッパと対向する各側に第１，第２被押圧部が形成された光ピックアップ移動体と、
前記光ピックアップ移動体に跨った状態で前記ガイド部材に沿って前記一軸方向に前記駆動源により駆動されて直線移動自在に設けられており、且つ、前記光ピックアップ移動体と重なる部位にＺ字状カム溝部が形成されていると共に、前記第１，第２ストッパと対向する各側に第１，第２カム状バネ摺接部が形成されたナット部材と、
前記光ピックアップ移動体と前記ナット部材との間に介装されており、一端側に突出した第１ピン部が前記光ピックアップ移動体の裏面に回動可能に支持されていると共に、他端側に突出した第２ピン部が前記ナット部材のＺ字状カム溝部に挿通されたリンクアームと、
前記光ピックアップベース上に前記第１，第２ストッパとの中間位置を中心にして回動可能に設けられ、且つ、前記中間位置の両側に間隔を離して第１，第２押圧部が形成されていると共に、前記第１，第２ストッパ側にそれぞれ第１，第２バネを取り付けたアームと、
前記光ピックアップベース上に固着され、且つ、前記ナット部材のＺ字状カム溝部に挿通された前記リンクアームの第２ピン部が嵌合する略階段状カム溝部を形成したカムプレートと、を備え、
前記リンクアームの第２ピン部による前記Ｚ字状カム溝部及び前記略階段状カム溝部への嵌合状態により、前記光ピックアップ移動体と前記ナット部材とが一体に前記ガイド部材に案内されて前記第１停止位置と前記第２停止位置との間を移動する最中に、前記光ピックアップのガイド壁部に前記アームの第１，第２押圧部が当接して該アームが前記光ピックアップ移動体の移動方向と平行な姿勢を取り、
前記光ピックアップ移動体が前記第１ストッパに当接して前記第１停止位置に至った後に、前記リンクアームの第２ピン部による前記Ｚ字状カム溝部及び前記略階段状カム溝部への嵌合状態により、前記ナット部材のみが更に前記第１ストッパ側に移動して、前記第１バネが前記ナット部材の第１カム状バネ摺接部に摺接しながら該第１カム状バネ摺接部の端部に掛止される動作に伴って前記アームが一方に回動して、前記第１バネの付勢力が伝達された前記アームの第２押圧部で前記移動体の第２被押圧部を前記第１ストッパ側に押圧する一方、前記光ピックアップ移動体が前記第２ストッパに当接して前記第２停止位置に至った後に、前記リンクアームの第２ピン部による前記Ｚ字状カム溝部及び前記略階段状カム溝部への嵌合状態により、前記ナット部材のみが更に前記第２ストッパ側に移動して、前記第２バネが前記ナット部材の第２カム状バネ摺接部に摺接しながら該第２カム状バネ摺接部の端部に掛止される動作に伴って前記アームが他方に回動して、前記第２バネの付勢力が伝達された前記アームの第１押圧部で前記移動体の第１被押圧部を前記第２ストッパ側に押圧することを特徴とする光ディスク装置。
【発明の詳細な説明】
【技術分野】
【０００１】
本発明は、駆動源と連結して駆動される移動体をベース上で第１停止位置と第２停止位置との間を一軸方向に直線移動する直線移動機構及びこの直線移動機構を用いた光ディスク装置に関するものである。
【背景技術】
【０００２】
一般的に、移動体を一軸方向に直線移動する直線移動機構は各種の構造形態があるものの、駆動源と連結して駆動される移動体をベース上で第１停止位置と第２停止位置との間を一軸方向に直線的に移動する直線移動機構の一例を適用した光ディスク装置がある（例えば、特許文献１参照）。
【特許文献１】特開２００４−３１８９７３号公報
【０００３】
図２０は従来の直線移動機構を用いた光ディスク装置を示した斜視図、
図２１（ａ），（ｂ）は従来の直線移動機構中で光ピックアップ移動体と光ピックアップベースとを拡大して示した斜視図、
図２２（ａ）〜（ｄ）は従来の直線移動機構の動作を説明するために模式的に示した図である。
【０００４】
図２０に示した従来の直線移動機構１２０を用いた光ディスク装置１００は、上記した特許文献１（特開２００４−３１８９７３号公報）に開示されているものであり、ここでは特許文献１を参照して簡略に説明する。
【０００５】
図２０に示した如く、従来の直線移動機構１２０を用いた光ディスク装置１００では、不図示の筺体内に複数種の光ディスクＤを選択的に搭載して回転駆動するスピンドルモータ１０１が取り付けられている。
【０００６】
また、スピンドルモータ１０１の右方には、複数種の光ディスクＤに対して選択的に記録又は再生をするための光ピックアップ装置１１０が所定の間隔を離して互いに平行に設けられたスクリューシャフト１０２とガイドシャフト１０３とに沿って光ディスクＤの径方向となる矢印Ｘ１，Ｘ２方向に直線移動自在に設けられている。
【０００７】
上記した光ピックアップ装置１１０は、スクリューシャフト１０２とガイドシャフト１０３とに案内される箱状の光ピックアップベース１１１内に複数種の光ディスクＤに対応して複数種の半導体レーザや複数の光学部品が内蔵されていると共に、この光ピックアップベース１１１の上面１１１ａ上に従来の直線移動機構１２０を採用した光ピックアップ移動体１２１が２本のスライドシャフト１１２（図２０では１本のみ図示）に沿って光ディスクＤの径方向と直交した接線方向となる矢印Ｙ１，Ｙ２方向に直線移動自在に設けられている。
【０００８】
また、上記した光ピックアップ移動体１２１の上面１２１ａには、光ピックアップ装置１１０を構成する構成部材として、開口数（ＮＡ）が０．６５の第１対物レンズ１２２を内蔵した第１レンズホルダ１２３が複数本の第１ワイヤ１２４により揺動自在に取り付けられ、且つ、開口数（ＮＡ）が０．８５の第２対物レンズ１２５を内蔵した第２レンズホルダ１２６が複数本の第２ワイヤ１２７により揺動自在に取り付けられており、この際に第１，第２レンズホルダ１２３，１２６同士が矢印Ｙ１，Ｙ２方向に沿って互いに対向している。
【０００９】
ここで、複数種の光ディスクＤに対して選択的に記録又は再生をするには、光ディスクＤの種類に対応して第１対物レンズ１２２又は第２対物レンズ１２５を光ディスクＤの中心を通り且つスクリューシャフト１０２及びガイドシャフト１０３と平行な仮想中心線Ｋに沿って移動できるように第１対物レンズ１２２又は第２対物レンズ１２５の各位置を切り換える必要がある。
【００１０】
これに伴って、光ピックアップ移動体１２１には、スクリューシャフト１０２側の側面１２１ｂにラック部１２１ｃが形成されている。
【００１１】
また、スクリューシャフト１０２の右端近傍にはレンズ切換駆動部１３０が設けられており、このレンズ切換駆動部１３０は、モータ１３１の軸に取り付けたギア１３２と、ギア１３２に噛合する大径ギア１３３ａと光ピックアップ移動体１２１に形成したラック部１２１ｃに噛合する小径ギア１３３ｂとを一体的に形成した二段ギア１３３とから構成されている。
【００１２】
そして、光ピックアップ装置１１０を矢印Ｘ１方向に移動させた時に、光ピックアップベース１１１上の光ピックアップ移動体１２１に形成したラック部１２１ｃが二段ギア１３３の小径ギア１３３ｂに噛合することで、光ピックアップ移動体１２１を矢印Ｙ１，Ｙ２方向に直線的に移動させることができるので、第１対物レンズ１２２を取り付けた第１レンズホルダ１２３を第１停止位置に位置決め固定するか、又は、第２対物レンズ１２５を取り付けた第２レンズホルダ１２６を第２停止位置に位置決め固定するかを切り換えることができるようになっている。
【００１３】
この際、図２１（ａ），（ｂ）に示したように、光ピックアップベース１１１の上面１１１ａ側には、第１，第２対物レンズ１２２，１２５（図２０)にレーザ光を出力する出射孔１１１ｂが穿設されており、且つ、光ピックアップベース１１１上に取り付けらる光ピックアップ移動体１２１を矢印Ｙ１，Ｙ２方向に案内する２本のスライドシャフト１１２，１１２が取り付けられていると共に、レンズ切換時に光ピックアップ移動体１２１を第１対物レンズ１２２(図２０)と対応した第１停止位置、又は、第２対物レンズ１２５(図２０)と対応した第２停止位置に位置決めを行うストッパ用コ字状板バネ１１３がネジ１１４によって取り付けられている。この際、ストッパ用コ字状板バネ１１３は、例えば板バネ１１３ａの一端に球状の係合突起１１３ｂが固着されている。
【００１４】
一方、光ピックアップ移動体１２１には、上面１２１ａ側に２個の第１，第２対物レンズ１２２，１２５（図２０)の下方位置に設けられたレーザ光を通す貫通孔１２１ｄ，１２１ｅが穿設され、且つ、側面１２１ｂに沿って二段ギア１３３（図２０）の小径ギア１３３ｂが噛合されるラック部１２１ｃが形成され、且つ、下面１２１ｆ側に上記したスライドシャフト１１２，１１２を受ける複数の軸受け１２１ｇが下方に向かって突出されていると共に、第１，第２対物レンズ１２２，１２５(図２０)を取り付けた第１，第２レンズホルダ１２３，１２６(図２０)をそれぞれ第１，第２停止位置に位置決めするためのストッパ用コ字状板バネ１１３の係合突起１１３ｂと係合する第１，第２係合溝１２１ｈ，１２１ｉが形成されている。
【発明の開示】
【発明が解決しようとする課題】
【００１５】
ところで、従来の直線移動機構１２０を採用した光ディスク１００によれば、レンズ切換時に光ディスクＤの種類に対応して、図２２（ａ）に示したように、光ピックアップベース１１１上に取り付けたストッパ用コ字状板バネ１１３の係合突起１１３ｂを光ピックアップ移動体１２１の下面１２１ｆに形成した第１係合溝１２１ｈに係合させることで、第１対物レンズ１２２を取り付けた第１レンズホルダ１２３を第１停止位置に位置決めでき、一方、図２２（ｂ）に示したように、光ピックアップベース１１１上に取り付けたストッパ用コ字状板バネ１１３の係合突起１１３ｂを光ピックアップ移動体１２１の下面１２１ｆに形成した第２係合溝１２１ｉに係合させることで、第２対物レンズ１２５を取り付けた第２レンズホルダ１２６を第２停止位置に位置決めできるものの、以下に記載する第１，第２の問題点が生じている。
【００１６】
まず、第１の問題点は、図２２（ｃ）に示したように、光ピックアップ移動体１２１が第１停止位置と第２停止位置との間を移動する際中に、ストッパ用コ字状板バネ１１３の係合突起１１３ｂが光ピックアップ移動体１２１の下面１２１ｆに当接するために、光ピックアップ移動体１２１にストッパ用コ字状板バネ１１３の負荷が加わってしまうので、レンズ切換駆動部１３０のモータ１３１（図２０）の出力を大きくしなければならない。
【００１７】
次に、第２の問題点は、例えば、図２２（ｄ）に示したように、ストッパ用コ字状板バネ１１３の係合突起１１３ｂが光ピックアップ移動体１２１の下面１２１ｆに形成した第２係合溝１２１ｉに係合して光ピックアップ移動体１２１が第２停止位置に位置決めされている状態から光ピックアップ移動体１２１に予期しない振動又は衝撃力が加わった時に、ストッパ用コ字状板バネ１１３の係合突起１１３ｂが光ピックアップ移動体１２１の下面１２１ｆに形成した第２係合溝１２１ｉから外れてしまい、光ピックアップ移動体１２１を第２停止位置に位置決めできなくなってしまう。
【００１８】
そこで、移動体がベース上で第１停止位置と第２停止位置との間を直線的に移動する際中に軽負荷で移動でき、且つ、移動体を第１，第２停止位置に確実に位置決めできる直線移動機構及びこの直線移動機構を用いた光ディスク装置が望まれている。
【課題を解決するための手段】
【００１９】
本発明は上記課題に鑑みてなされたものであり、請求項１記載の発明は、ベース上で一軸方向に所定の間隔を離して設けられた第１ストッパ及び第２ストッパと、
前記ベースに設けられた駆動源と、
前記ベース上で前記第１ストッパに当接する第１停止位置と、前記第２ストッパに当接する第２停止位置との間をガイド部材に沿って前記一軸方向に前記駆動源により駆動されて直線移動すると共に、移動方向と平行にガイド壁部が長尺に形成され、且つ、前記第１，第２ストッパと対向する各側に第１，第２カム状バネ摺接部及び第１，第２被押圧部が形成された移動体と、
前記ベース上に前記第１，第２ストッパとの中間位置を中心にして回動可能に設けられ、且つ、前記中間位置の両側に間隔を離して第１，第２押圧部が形成されていると共に、前記第１，第２ストッパ側にそれぞれ第１，第２バネを取り付けたアームと、を備え、
前記移動体が前記第１停止位置と前記第２停止位置との間を移動する最中に、前記移動体のガイド壁部に前記アームの第１，第２押圧部が当接して該アームが前記移動体の移動方向と平行な姿勢を取り、
前記移動体が前記第１停止位置近傍に至った際に、前記第１バネが前記移動体の第１カム状バネ摺接部に摺接しながら該第１カム状バネ摺接部の端部に掛止される動作に伴って前記アームが一方に回動して、前記第１バネの付勢力が伝達された前記アームの第２押圧部で前記移動体の第２被押圧部を前記第１ストッパ側に押圧する一方、前記移動体が前記第２停止位置近傍に至った際に、前記第２バネが前記移動体の第２カム状バネ摺接部に摺接しながら該第２カム状バネ摺接部の端部に掛止される動作に伴って前記アームが他方に回動して、前記第２バネの付勢力が伝達された前記アームの第１押圧部で前記移動体の第１被押圧部を前記第２ストッパ側に押圧することを特徴とする直線移動機構である。
【００２０】
また、請求項２記載の発明は、複数種の光ディスクに対して選択的に記録又は再生をするために、第１開口数の第１対物レンズを内蔵した第１光ピックアップ部と、第２開口数の第２対物レンズを内蔵した第２光ピックアップ部とをそれぞれの記録再生位置に切り換え可能に構成した光ディスク装置において、
前記複数種の光ディスクの径方向に移動自在な光ピックアップベースと、
前記光ピックアップベース上で前記複数種の光ディスクの径方向と直交した一軸方向に所定の間隔を離して設けられた第１ストッパ及び第２ストッパと、
前記光ピックアップベースに設けられた駆動源と、
前記第１，第２光ピックアップ部が取り付けられており、前記光ピックアップベース上で前記第１光ピックアップ部を記録再生位置に位置決めするために前記第１ストッパに当接する第１停止位置と、前記第２光ピックアップ部を記録再生位置に位置決めするために前記第２ストッパに当接する第２停止位置との間をガイド部材に沿って前記一軸方向に前記駆動源により駆動されて直線移動すると共に、移動方向と平行にガイド壁部が長尺に形成され、且つ、前記第１，第２ストッパと対向する各側に第１，第２カム状バネ摺接部及び第１，第２被押圧部が形成された光ピックアップ移動体と、
前記光ピックアップベース上に前記第１，第２ストッパとの中間位置を中心にして回動可能に設けられ、且つ、前記中間位置の両側に間隔を離して第１，第２押圧部が形成されていると共に、前記第１，第２ストッパ側にそれぞれ第１，第２バネを取り付けたアームと、を備え
前記光ピックアップ移動体が前記第１停止位置と前記第２停止位置との間を移動する最中に、前記光ピックアップ移動体のガイド壁部に前記アームの第１，第２押圧部が当接して該アームが前記光ピックアップ移動体の移動方向と平行な姿勢を取り、
前記光ピックアップ移動体が前記第１停止位置近傍に至った際に、前記第１バネが前記光ピックアップ移動体の第１カム状バネ摺接部に摺接しながら該第１カム状バネ摺接部の端部に掛止される動作に伴って前記アームが一方に回動して、前記第１バネの付勢力が伝達された前記アームの第２押圧部で前記光ピックアップ移動体の第２被押圧部を前記第１ストッパ側に押圧する一方、前記光ピックアップ移動体が前記第２停止位置近傍に至った際に、前記第２バネが前記光ピックアップ移動体の第２カム状バネ摺接部に摺接しながら該第２カム状バネ摺接部の端部に掛止される動作に伴って前記アームが他方に回動して、前記第２バネの付勢力が伝達された前記アームの第１押圧部で前記光ピックアップ移動体の第１被押圧部を前記第２ストッパ側に押圧することを特徴とする光ディスク装置である。
【００２１】
また、請求項３記載の発明は、ベース上で一軸方向に所定の間隔を離して設けられた第１ストッパ及び第２ストッパと、
前記ベースに設けられた駆動源と、
前記ベース上で前記第１ストッパに当接する第１停止位置と、前記第２ストッパに当接する第２停止位置との間をガイド部材に沿って前記一軸方向に直線移動すると共に、移動方向と平行にガイド壁部が長尺に形成され、且つ、前記第１，第２ストッパと対向する各側に第１，第２被押圧部が形成された移動体と、
前記移動体に跨った状態で前記ガイド部材に沿って前記一軸方向に前記駆動源により駆動されて直線移動自在に設けられており、且つ、前記移動体と重なる部位にＺ字状カム溝部が形成されていると共に、前記第１，第２ストッパと対向する各側に第１，第２カム状バネ摺接部が形成されたナット部材と、
前記移動体と前記ナット部材との間に介装されており、一端側に突出した第１ピン部が前記移動体の裏面に回動可能に支持されていると共に、他端側に突出した第２ピン部が前記ナット部材のＺ字状カム溝部に挿通されたリンクアームと、
前記ベース上に前記第１，第２ストッパとの中間位置を中心にして回動可能に設けられ、且つ、前記中間位置の両側に間隔を離して第１，第２押圧部が形成されていると共に、前記第１，第２ストッパ側にそれぞれ第１，第２バネを取り付けたアームと、
前記ベース上に固着され、且つ、前記ナット部材のＺ字状カム溝部に挿通された前記リンクアームの第２ピン部が嵌合する略階段状カム溝部を形成したカムプレートと、を備え、
前記リンクアームの第２ピン部による前記Ｚ字状カム溝部及び前記略階段状カム溝部への嵌合状態により、前記移動体と前記ナット部材とが一体に前記ガイド部材に案内されて前記第１停止位置と前記第２停止位置との間を移動する最中に、前記移動体のガイド壁部に前記アームの第１，第２押圧部が当接して該アームが前記移動体の移動方向と平行な姿勢を取り、
前記移動体が前記第１ストッパに当接して前記第１停止位置に至った後に、前記リンクアームの第２ピン部による前記Ｚ字状カム溝部及び前記略階段状カム溝部への嵌合状態により、前記ナット部材のみが更に前記第１ストッパ側に移動して、前記第１バネが前記ナット部材の第１カム状バネ摺接部に摺接しながら該第１カム状バネ摺接部の端部に掛止される動作に伴って前記アームが一方に回動して、前記第１バネの付勢力が伝達された前記アームの第２押圧部で前記移動体の第２被押圧部を前記第１ストッパ側に押圧する一方、前記移動体が前記第２ストッパに当接して前記第２停止位置に至った後に、前記リンクアームの第２ピン部による前記Ｚ字状カム溝部及び前記略階段状カム溝部への嵌合状態により、前記ナット部材のみが更に前記第２ストッパ側に移動して、前記第２バネが前記ナット部材の第２カム状バネ摺接部に摺接しながら該第２カム状バネ摺接部の端部に掛止される動作に伴って前記アームが他方に回動して、前記第２バネの付勢力が伝達された前記アームの第１押圧部で前記移動体の第１被押圧部を前記第２ストッパ側に押圧することを特徴とする直線移動機構である。
【００２２】
更に、請求項４記載の発明は、複数種の光ディスクに対して選択的に記録又は再生をするために、第１開口数の第１対物レンズを内蔵した第１光ピックアップ部と、第２開口数の第２対物レンズを内蔵した第２光ピックアップ部とをそれぞれの記録再生位置に切り換え可能に構成した光ディスク装置において、
前記複数種の光ディスクの径方向に移動自在な光ピックアップベースと、
前記光ピックアップベース上で前記複数種の光ディスクの径方向と直交した一軸方向に所定の間隔を離して設けられた第１ストッパ及び第２ストッパと、
前記光ピックアップベースに設けられた駆動源と、
前記第１，第２光ピックアップ部が取り付けられており、前記光ピックアップベース上で前記第１光ピックアップ部を記録再生位置に位置決めするために前記第１ストッパに当接する第１停止位置と、前記第２光ピックアップ部を記録再生位置に位置決めするために前記第２ストッパに当接する第２停止位置との間をガイド部材に沿って前記一軸方向に直線移動すると共に、移動方向と平行にガイド壁部が長尺に形成され、且つ、前記第１，第２ストッパと対向する各側に第１，第２被押圧部が形成された光ピックアップ移動体と、
前記光ピックアップ移動体に跨った状態で前記ガイド部材に沿って前記一軸方向に前記駆動源により駆動されて直線移動自在に設けられており、且つ、前記光ピックアップ移動体と重なる部位にＺ字状カム溝部が形成されていると共に、前記第１，第２ストッパと対向する各側に第１，第２カム状バネ摺接部が形成されたナット部材と、
前記光ピックアップ移動体と前記ナット部材との間に介装されており、一端側に突出した第１ピン部が前記光ピックアップ移動体の裏面に回動可能に支持されていると共に、他端側に突出した第２ピン部が前記ナット部材のＺ字状カム溝部に挿通されたリンクアームと、
前記光ピックアップベース上に前記第１，第２ストッパとの中間位置を中心にして回動可能に設けられ、且つ、前記中間位置の両側に間隔を離して第１，第２押圧部が形成されていると共に、前記第１，第２ストッパ側にそれぞれ第１，第２バネを取り付けたアームと、
前記光ピックアップベース上に固着され、且つ、前記ナット部材のＺ字状カム溝部に挿通された前記リンクアームの第２ピン部が嵌合する略階段状カム溝部を形成したカムプレートと、を備え、
前記リンクアームの第２ピン部による前記Ｚ字状カム溝部及び前記略階段状カム溝部への嵌合状態により、前記光ピックアップ移動体と前記ナット部材とが一体に前記ガイド部材に案内されて前記第１停止位置と前記第２停止位置との間を移動する最中に、前記光ピックアップのガイド壁部に前記アームの第１，第２押圧部が当接して該アームが前記光ピックアップ移動体の移動方向と平行な姿勢を取り、
前記光ピックアップ移動体が前記第１ストッパに当接して前記第１停止位置に至った後に、前記リンクアームの第２ピン部による前記Ｚ字状カム溝部及び前記略階段状カム溝部への嵌合状態により、前記ナット部材のみが更に前記第１ストッパ側に移動して、前記第１バネが前記ナット部材の第１カム状バネ摺接部に摺接しながら該第１カム状バネ摺接部の端部に掛止される動作に伴って前記アームが一方に回動して、前記第１バネの付勢力が伝達された前記アームの第２押圧部で前記移動体の第２被押圧部を前記第１ストッパ側に押圧する一方、前記光ピックアップ移動体が前記第２ストッパに当接して前記第２停止位置に至った後に、前記リンクアームの第２ピン部による前記Ｚ字状カム溝部及び前記略階段状カム溝部への嵌合状態により、前記ナット部材のみが更に前記第２ストッパ側に移動して、前記第２バネが前記ナット部材の第２カム状バネ摺接部に摺接しながら該第２カム状バネ摺接部の端部に掛止される動作に伴って前記アームが他方に回動して、前記第２バネの付勢力が伝達された前記アームの第１押圧部で前記移動体の第１被押圧部を前記第２ストッパ側に押圧することを特徴とする光ディスク装置である。
【発明の効果】
【００２３】
請求項１記載の直線移動機構によると、移動体が第１停止位置近傍又は第２停止位置近傍に至った時のみに、移動体にアームに取り付けた第１捩じりバネの付勢力又は第２捩じりバネの付勢力が加わるので、移動体の移動中の負荷を軽減することができると共に、移動体が第１ストッパ又は第２ストッパに当接した第１停止位置又は第２停止位置で停止した時に、第１捩じりバネの付勢力又は第２捩じりバネの付勢力により第１ストッパ側又は第２ストッパ側に押圧されるので、予期しない振動や衝撃力が加わっても移動体を第１停止位置又は第２停止位置に確実に位置決めすることができる。
【００２４】
また、請求項２記載の光ディスク装置によると、第１，第２光ピックアップ部を取り付けた光ピックアップ移動体が第１停止位置近傍又は第２停止位置近傍に至った時のみに、光ピックアップ移動体にアームに取り付けた第１捩じりバネの付勢力又は第２捩じりバネの付勢力が加わるので、光ピックアップ移動体の移動中の負荷を軽減することができると共に、光ピックアップ移動体が第１ストッパ又は第２ストッパに当接した第１停止位置又は第２停止位置で停止した時に、第１捩じりバネの付勢力又は第２捩じりバネの付勢力により第１ストッパ側又は第２ストッパ側に押圧されるので、予期しない振動や衝撃力が加わっても光ピックアップ移動体を第１光ピックアップ部の記録再生位置となる第１停止位置又は第２光ピックアップ部の記録再生位置となる第２停止位置に確実に位置決めすることができる。
【００２５】
また、請求項３記載の直線移動機構によると、移動体が第１ストッパ又は第２ストッパに当接したときのみ、移動体に対して分離したナット部材のみが更に第１ストッパ側又は第２ストッパ側に移動することで、移動体にアームに取り付けた第１捩じりバネの付勢力又は第２捩じりバネの付勢力が加わるので、移動体の移動中の負荷をより更に軽減することができると共に、移動体が第１ストッパ又は第２ストッパに当接した第１停止位置又は第２停止位置で停止した時に、第１捩じりバネの付勢力又は第２捩じりバネの付勢力により第１ストッパ側又は第２ストッパ側に押圧されるので、予期しない振動や衝撃力が加わっても移動体を第１停止位置又は第２停止位置に確実に位置決めすることができる。
【００２６】
更に、請求項４記載の光ディスク装置によると、第１，第２光ピックアップ部を取り付けた光ピックアップ移動体が第１ストッパ又は第２ストッパに当接したときのみ、光ピックアップ移動体に対して分離したナット部材のみが更に第１ストッパ側又は第２ストッパ側に移動することで、光ピックアップ移動体にアームに取り付けた第１捩じりバネの付勢力又は第２捩じりバネの付勢力が加わるので、光ピックアップ移動体の移動中の負荷をより更に軽減することができると共に、光ピックアップ移動体が第１ストッパ又は第２ストッパに当接した第１停止位置又は第２停止位置で停止した時に、第１捩じりバネの付勢力又は第２捩じりバネの付勢力により第１ストッパ側又は第２ストッパ側に押圧されるので、予期しない振動や衝撃力が加わっても光ピックアップ移動体を第１光ピックアップ部の記録再生位置となる第１停止位置又は第２光ピックアップ部の記録再生位置となる第２停止位置に確実に位置決めすることができる。
【発明を実施するための最良の形態】
【００２７】
以下に本発明に係る直線移動機構及びこの直線移動機構を用いた光ディスク装置の一実施例について図１〜図１９を参照して、実施例１，実施例２の順に詳細に説明する。
【実施例１】
【００２８】
図１は本発明に係る実施例１の直線移動機構及びこの直線移動機構を用いた光ディスク装置を示した斜視図、
図２は本発明に係る実施例１の直線移動機構及びこの直線移動機構を用いた光ディスク装置を示した平面図であり、（ａ）は第１対物レンズが第１停止位置に至った状態を示し、（ｂ）は第２対物レンズが第２停止位置に至った状態を示した図、
図３は本発明に係る実施例１の直線移動機構を分解して示した分解斜視図、
図４は本発明に係る実施例１の直線移動機構を一部分解して示した一部分解斜視図である。
【００２９】
図１に示した如く、本発明に係る実施例１の直線移動機構３０Ａ及びこの直線移動機構３０Ａを用いた光ディスク装置１０Ａでは、後述するように、光ピックアップベース２１上に回動可能に支持したアーム４２の両端部に第１，第２捩じりバネ４３，４４（図３）を取り付けた上で、ナット部材３４Ａを一体的に固着した光ピックアップ移動体３１Ａが光ピックアップベース２１上に設けた第１ストッパ２１ｃに当接した第１停止位置と、光ピックアップベース２１上に設けた第２ストッパ２１ｄに当接した第２停止位置との間を直線移動するにあたって、光ピックアップ移動体３１Ａが第１停止位置近傍に至った時にアーム４２の時計方向への回動に伴って生じる第１捩じりバネ４３の付勢力で光ピックアップ移動体３１Ａを第１ストッパ２１ｃ側（第１停止位置側）に押圧する一方、光ピックアップ移動体３１Ａが第２停止位置近傍に至った時にアーム４２の反時計方向への回動に伴って生じる第２捩じりバネ４４の付勢力で光ピックアップ移動体３１Ａを第２ストッパ２１ｄ側（第２停止位置側）に押圧することを特徴とするものである。
【００３０】
以下、実施例１について具体的に説明に説明すると、図１に示した如く、不図示の筺体内に複数種の光ディスクＤを選択的に搭載して回転駆動するスピンドルモータ１１が取り付けられている。
【００３１】
また、スピンドルモータ１１の右方には、複数種の光ディスクＤに対して選択的に記録又は再生をするための光ピックアップ装置２０Ａが不図示の筺体内で所定の間隔を離して互いに平行に設置した２本のガイドシャフト１２，１３に沿って光ディスクＤの径方向となる矢印Ｘ１，Ｘ２方向に直線移動自在に設けられている。
【００３２】
上記した光ピックアップ装置２０Ａは、基台となる光ピックアップベース２１がアルミダイキャスト材を用いて箱状に形成されており、この光ピックアップベース２１のうちでガイドシャフト１２側に不図示のナット部材が取り付けられて、このナット部材が不図示のモータに固着したリードスクリューに螺合しているので、光ピックアップベース２１が矢印Ｘ１，Ｘ２方向に直線移動可能となっている。
【００３３】
また、光ピックアップベース２１内には、複数種の光ディスクＤに対応して複数種の半導体レーザや複数の光学部品が内蔵されている。この際、複数種の光ディスクＤとしては、
Ｂｌｕ−ｒａｙ  Ｄｉｓｃと、ＤＶＤ（Ｄｉｇｉｔａｌ  Ｖｅｒｓａｔｉｌｅ  Ｄｉｓｃ）と、ＣＤ（Ｃｏｍｐａｃｔ  Ｄｉｓｃ）との３種類が対応可能になっており、これに伴って、Ｂｌｕ−ｒａｙ  Ｄｉｓｃ用の半導体レーザは波長λが４０５ｎｍ前後のレーザ光を出射し、ＤＶＤの半導体レーザは波長λが６５０ｎｍ前後のレーザ光を出射し、ＣＤ用の半導体レーザは波長λが７８０ｎｍ前後のレーザ光を出射するようになっている。
【００３４】
また、光ピックアップベース２１の上面２１ａ上には、実施例１の直線移動機構３０Ａを採用した光ピックアップ移動体３１Ａの一端側が光ピックアップベース２１上に２本のネジ３２を介して取り付けたスライドシャフト３３によって光ディスクＤの径方向と直交した接線方向となる矢印Ｙ１，Ｙ２方向に案内され、且つ、光ピックアップ移動体３１Ａの他端側が光ピックアップベース２１の上面２１ａに形成したガイドレール２１ｂに案内されていると共に、この光ピックアップ移動体３１Ａに一体的に取り付けたナット部材３４Ａが光ピックアップベース２１上にモータブラケット３５を介して取り付けられたステッピングモータ３６の軸に固着したリードスクリュー３７に螺合していているので、ステッピングモータ３６を駆動することでリードスクリュー３７の回転に伴ってナット部材３４Ａと一体に光ピックアップ移動体３１Ａが矢印Ｙ１，Ｙ２方向に直線移動可能となっている。
【００３５】
更に、光ピックアップ移動体３１Ａ上には、光ピックアップ装置２０Ａを構成する構成部材として、Ｂｌｕ−ｒａｙ  Ｄｉｓｃに対応して開口数（ＮＡ）が０．８５の第１対物レンズ３８を内蔵した第１光ピックアップ部３９が取り付けられ、且つ、ＤＶＤ及びＣＤに対応して開口数（ＮＡ）が０．６５の第２対物レンズ４０を内蔵した第２光ピックアップ部４１が取り付けられている。
【００３６】
この際、第１，第２光ピックアップ部３９，４１同士は、矢印Ｙ１，Ｙ２方向に沿って互いに対向していると共に、第１，第２対物レンズ３８，４０は、第１光ピックアップ部３９，４１内に取り付けた不図示の各アクチュエータによって光ディスクＤに対してフォーカス方向及びトラッキング方向に揺動自在に制御されるようになっている。
【００３７】
尚、第１対物レンズ３８と第２対物レンズ４０との位置を入れ替えて良いものである。
【００３８】
ここで、複数種の光ディスクＤに対して選択的に記録又は再生をするには、光ディスクＤの種類に対応して第１対物レンズ３８又は第２対物レンズ４０を光ディスクＤの中心を通り且つ２本のガイドシャフト１２，１３と平行な仮想中心線Ｋに沿って移動できるように第１対物レンズ３８又は第２対物レンズ４０の各記録再生位置を切り換える必要がある。
【００３９】
これに伴って、光ピックアップベース２１の上面２１ａ上の左右には、光ピックアップ移動体３１Ａ上に取り付けた第１，第２光ピックアップ部３９，４１を各記録再生位置に対応する第１，第２停止位置にそれぞれ位置決めするための第１，第２ストッパ２１ｃ，２１ｄが一軸方向となる矢印Ｙ１，Ｙ２方向に所定の間隔を離して設けられている。
【００４０】
従って、図２（ａ）に示した如く、ナット部材３４Ａを一体的に取り付けた光ピックアップ移動体３１Ａをスライドシャフト３３及び光ピックアップベース２１のガイドレール２１ｂに沿って矢印Ｙ１方向に移動させて、光ピックアップ移動体３１Ａの右側を第１ストッパ２１ｃに当接させると、第１光ピックアップ部３９内の第１対物レンズ３８が前記した仮想中心線Ｋ上に位置するので、第１対物レンズ３８が第１停止位置に至る。
【００４１】
一方、図２（ｂ）に示した如く、ナット部材３４Ａを一体的に取り付けた光ピックアップ移動体３１Ａをスライドシャフト３３及び光ピックアップベース２１のガイドレール２１ｂに沿って上記とは逆に矢印Ｙ２方向に移動させて、光ピックアップ移動体３１Ａの左側を第２ストッパ２１ｄに当接させると、第２光ピックアップ部４１内の第１対物レンズ４０が前記した仮想中心線Ｋ上に位置するので、第２対物レンズ４０が第２停止位置に至る。
【００４２】
ここで、実施例１の直線移動機構３０Ａの各構成部材について、図３及び図４を用いて説明する
まず、図３に示した如く、箱状に形成された光ピックアップベース２１の上面２１ａの略中央部位には、モータブラケット３５を介してステッピングモータ３６の軸に固着したリードスクリュー３７が取り付けられている。
【００４３】
また、光ピックアップベース２１の上面２１ａ上でリードスクリュー３７の近傍に軸部２１ｅが上方に向かって突出形成されており、且つ、第１ストッパ２１ｃと第２ストッパ２１ｄとの中間に位置した軸部２１ｅにアーム４２の中心に穿設した中心孔４２ａが嵌合して、アーム４２が軸部２１ｅを中心に時計方向又は反時計方向に回動自在に設けられている。
【００４４】
上記したアーム４２は、中心孔４２ａを中心に左右対称に長尺に形成されており、且つ、中心孔４２ａを中心にした右側及び左側に後述する光ピックアップ移動体３１Ａに形成した第１，第２被押圧部３１ｉ，３１ｊを押圧する第１，第２押圧部４２ｂ，４２ｃが所定の間隔を隔てて逆Ｌ字状に曲げ形成されていると共に、右端部４２ｄ及び左端部４２ｅに後述するナット部材３４Ａに形成した第１，第２カム状バネ摺接部３４ｄ，３４ｅに摺接するように第１，第２捩じりバネ４３，４４が取り付けられている。
【００４５】
この際、第１捩じりバネ４３は、第１ストッパ２１ｃに当接した光ピックアップ移動体３１Ａを第１ストッパ２１ｃ側に押圧する機能を備えており、一方、第２捩じりバネ４４は、第２ストッパ２１ｄに当接した光ピックアップ移動体３１Ａを第２ストッパ２１ｄ側に押圧する機能を備えている。
【００４６】
そして、第１，第２捩じりバネ４３，４４を取り付けたアーム４２の中心孔４２ａを光ピックアップベース２１の上面２１ａ上の軸部２１ｅに回動可能に支持した状態は、図４に示した如くとなる。
【００４７】
図３に戻り、光ピックアップ移動体３１Ａは、アルミダイキャスト材を用いて一体成形されており、平坦な上面３１ａ上にレーザ光を通過させる２個の貫通孔３１ｂ，３１ｃが穿設され、この上面３１ａ上に第１対物レンズ３８を内蔵した第１光ピックアップ部３９と第２対物レンズ４０を内蔵した第２光ピックアップ部４１とが矢印Ｙ１，Ｙ２方向に沿って取り付けられている。
【００４８】
また、光ピックアップ移動体３１Ａは、上面３１ａよりも図示手前側にスライドシャフト３３が嵌合するシャフト孔３１ｄを有するシャフト孔用凸部３１ｅが矢印Ｙ１，Ｙ２方向に沿って分かれて上方に向かって突出形成され、且つ、シャフト孔用凸部３１ｅに連接してナット部材３４Ａを一体的に固着させるためのナット支持部３１ｆがシャフト孔用凸部３１ｅよりも低い位置に平坦に形成されてここにネジ孔３１ｇが２個穿設されていると共に、ナット支持部３１ｆの裏面側にアーム４２の第１，第２押圧部４２ｂ，４２ｃが当接しながら案内されるガイド壁部３１ｈが光ピックアップ移動体３１Ａの移動方向（矢印Ｙ１，Ｙ２方向）と平行にアーム４２の第１，第２押圧部４２ｂ，４２ｃ間の間隔よりも長尺に形成され、更に、第１，第２ストッパ２１ｃ，２１ｄと対向するガイド壁部３１ｈの右側面側及び左側面側にアーム４２の第１，第２押圧部４２ｂ，４２ｃが当接して押圧される第１，第２被押圧部３１ｉ，３１ｊが形成されている。
【００４９】
また、光ピックアップ移動体３１Ａのナット支持部３１ｆの裏面には、ナット部材３４Ａが２本の皿ネジ４５を用いて一体的に固着されている。
【００５０】
上記したナット部材３４Ａは樹脂材を用いて一体成形されており、平坦な被支持部３４ａに取り付け孔３４ｂが２個穿設され、且つ、被支持部３４ａに連接して前記したリードスクリュー３７に螺合するナット部３４ｃが図示前方に向かって突出形成されていると共に、第１，第２ストッパ２１ｃ，２１ｄと対向する右側面及び左側面にアーム４２に取り付けた第１，第２捩じりバネ４３，４４が摺接する第１，第２カム状バネ摺接部３４ｄ，３４ｅが円弧状カムとして形成されている。この際、ナット部材３４Ａのナット部３４ｃ内には不図示の圧縮バネが装着されており、この圧縮バネの付勢力でナット部３４ｃを前記したリードスクリュー３７に押し当て螺合させることで、リードスクリュー３７に対して側圧を付与している。
【００５１】
そして、光ピックアップ移動体３１Ａの上面３１ａ上に第１，第２光ピックアップ部３９，４１を取り付け、且つ、光ピックアップ移動体３１Ａのナット支持部３１ｆの裏面にナット部材３４Ａを一体的に取り付けた状態は、図４に示した如くとなる。
【００５２】
尚、この実施例１では、光ピックアップ移動体３１Ａがアルミダイキャスト材を用いて形成されているために、リードスクリュー３７に螺合するナット部材３４Ａを樹脂材を用いて形成した後に、このナット部材３４Ａを光ピックアップ移動体３１Ａに一体的に取り付けているが、光ピックアップ移動体３１Ａを剛性のある樹脂材を用いて形成すればナット部材３４Ａを光ピックアップ移動体３１Ａと同時に一体成形できることは明らかである。
【００５３】
次に、上記のように構成した実施例１の直線移動機構３０Ａにおいて、光ピックアップ移動体３１Ａを第１停止位置又は第２停止位置に押圧する動作について、図５（ａ），（ｂ）及び図６（ａ），（ｂ）を用いて説明する。
【００５４】
図５（ａ），（ｂ）は本発明に係る実施例１の直線移動機構及びこの直線移動機構を用いた光ディスク装置において、光ピックアップ移動体が第１停止位置に至った際に光ピックアップ移動体を第１ストッパ側に押圧する動作を説明するために裏面から見た平面図、
図６（ａ），（ｂ）は本発明に係る実施例１の直線移動機構及びこの直線移動機構を用いた光ディスク装置において、光ピックアップ移動体が第２停止位置に至った際に光ピックアップ移動体を第２ストッパ側に押圧する動作を説明するために裏面から見た平面図である。
【００５５】
この際、図５（ａ），（ｂ）及び図６（ａ），（ｂ）において、光ピックアップベース２１上では、アーム４２がこの中心孔４２ａを軸部２１ｅに嵌合して回動可能になっていると共に、ナット部材３４Ａを一体的に取り付けた光ピックアップ移動体３１Ａが光ピックアップベース２１上に設けた第１ストッパ２１ｃと第２ストッパ２１ｄとの間をスライドシャフト３３に案内されながらパルスモータ３６（図１，図３）によりパルス駆動されているので、光ピックアップ移動体３１Ａの停止動作はパルス数の計数に基づいて行われている。
【００５６】
まず、図５（ａ）に示した如く、ナット部材３４Ａを一体的に取り付けた光ピックアップ移動体３１Ａがスライドシャフト３３に案内されながら矢印Ｙ１方向に向かって移動している最中では、光ピックアップ移動体３１Ａのガイド壁部３１ｈに沿ってアーム４２の第１，第２押圧部４２ｂ，４２ｃが当接しているので、アーム４２は回動することなく光ピックアップ移動体３１Ａの移動方向と平行な姿勢を取っている。従って、アーム４２の右端部４２ｄ及び左端部４２ｅに取り付けた第１，第２捩じりバネ４３，４４の各端部４３ａ，４４ａはナット部材３４Ａの第１,第２カム状バネ摺接部３４ｄ，３４ｅに沿って摺接しないので、第１，第２捩じりバネ４３，４４の付勢力が光ピックアップ移動体３１Ａに加わらないために、光ピックアップ移動体３１Ａを軽負荷で矢印Ｙ１方向に移動できる。
【００５７】
更に、図５（ｂ）に示した如く、光ピックアップ移動体３１Ａが更に矢印Ｙ１方向に移動して光ピックアップベース２１上の第１ストッパ２１ｃの近傍に至ると、アーム４２の右端部４２ｄに取り付けた第１捩じりバネ４３中で起立した端部４３ａがナット部材３４Ａの第１カム状バネ摺接部３４ｄに当接してこの第１カム状バネ摺接部３４ｄに沿って摺接しながら下方に移動させられて第１カム状バネ摺接部３４ｄの下端部位に掛止されるために、これに伴って、アーム４２が光ピックアップベース２１上の軸部２１ｅを中心にして時計方向に回動すると共に、光ピックアップ移動体３１Ａは光ピックアップベース２１上の第１ストッパ２１ｃに当接して矢印Ｙ１方向への移動が停止する。
【００５８】
そして、アーム４２が時計方向に回動すると、第１捩じりバネ４３の付勢力がアーム４２の第２押圧部４２ｃに伝達されて、このアーム４２の第２押圧部４２ｃが光ピックアップ移動体３１Ａの第２被押圧部３１ｊに当接して第２被押圧部３１ｊに第１捩じりバネ４３の付勢力が加わるために、光ピックアップ移動体３１Ａが光ピックアップベース２１上の第１ストッパ２１ｃ側に押圧されて第１停止位置に確実に位置決めされる。
【００５９】
次に、図６（ａ）に示した如く、ナット部材３４Ａを一体的に取り付けた光ピックアップ移動体３１Ａがスライドシャフト３３に案内されながら矢印Ｙ２方向に向かって移動している最中では、光ピックアップ移動体３１Ａのガイド壁部３１ｈに沿ってアーム４２の第１，第２押圧部４２ｂ，４２ｃが当接しているので、アーム４２は回動することなく光ピックアップ移動体３１Ａの移動方向と平行な姿勢を取っている。従って、アーム４２の右端部４２ｄ及び左端部４２ｅに取り付けた第１，第２捩じりバネ４３，４４の各端部４３ａ，４４ａはナット部材３４Ａの第１,第２カム状バネ摺接部３４ｄ，３４ｅに摺接しないので、第１，第２捩じりバネ４３，４４の付勢力が光ピックアップ移動体３１Ａに加わらないために、光ピックアップ移動体３１Ａを軽負荷で矢印Ｙ２方向に移動できる。
【００６０】
更に、図６（ｂ）に示した如く、光ピックアップ移動体３１Ａが更に矢印Ｙ２方向に移動して光ピックアップベース２１上の第２ストッパ２１ｄの近傍に至ると、アーム４２の左端部４２ｅに取り付けた第２捩じりバネ４４中で起立した端部４４ａがナット部材３４Ａの第２カム状バネ摺接部３４ｅに当接してこの第２カム状バネ摺接部３４ｅに沿って摺接しながら下方に移動させられて第２カム状バネ摺接部３４ｅの下端部位に掛止されるために、これに伴って、アーム４２が光ピックアップベース２１上の軸部２１ｅを中心にして反時計方向に回動すると共に、光ピックアップ移動体３１Ａは光ピックアップベース２１上の第２ストッパ２１ｄに当接して矢印Ｙ２方向への移動が停止する。
【００６１】
そして、アーム４２が反時計方向に回動すると、第２捩じりバネ４３の付勢力がアーム４２の第１押圧部４２ｂに伝達されて、このアーム４２の第１押圧部４２ｂが光ピックアップ移動体３１Ａの第１被押圧部３１ｉに当接して第１被押圧部３１ｉに第１捩じりバネ４３の付勢力が加わるために、光ピックアップ移動体３１Ａが光ピックアップベース２１上の第２ストッパ２１ｄ側に押圧されて第２停止位置に確実に位置決めされる。
【００６２】
上記したように、実施例１では、第１，第２光ピックアップ部３９，４１を取り付けた光ピックアップ移動体３１Ａが第１停止位置近傍（第１ストッパ２１ｃの近傍）又は第２停止位置近傍（第２ストッパ２１ｄの近傍）に至った時のみに、光ピックアップ移動体３１Ａにアーム４２に取り付けた第１捩じりバネ４３の付勢力又は第２捩じりバネ４４の付勢力が加わるので、光ピックアップ移動体３１Ａの移動中の負荷を軽減することができると共に、光ピックアップ移動体３１Ａが第１ストッパ２１ｃ又は第２ストッパ２１ｄに当接した第１停止位置又は第２停止位置で停止した時に、第１捩じりバネ４３の付勢力又は第２捩じりバネ４４の付勢力により第１ストッパ２１ｃ側又は第２ストッパ２１ｄ側に押圧されるので、予期しない振動や衝撃力が加わっても光ピックアップ移動体３１Ａを第１光ピックアップ部３９の記録再生位置となる第１停止位置又は第２光ピックアップ部４１の記録再生位置となる第２停止位置に確実に位置決めすることができる。
【実施例２】
【００６３】
図７は本発明に係る実施例２の直線移動機構及びこの直線移動機構を用いた光ディスク装置を示した斜視図、
図８は本発明に係る実施例２の直線移動機構及びこの直線移動機構を用いた光ディスク装置を示した平面図であり、（ａ）は第１対物レンズが第１停止位置に至った状態を示し、（ｂ）は第２対物レンズが第２停止位置に至った状態を示した図、
図９は本発明に係る実施例２の直線移動機構を分解して示した分解斜視図、
図１０は本発明に係る実施例２の直線移動機構を一部分解して示した一部分解斜視図、
図１１（ａ），（ｂ）は図９に示したカムプレートを拡大して示した側面図，上面図、
図１２（ａ）は図９に示した光ピックアップ移動体，リンクアーム，ナット部材を拡大して示した斜視図であり、（ｂ）はナット部材を拡大して示した上面図である。
【００６４】
図７に示した本発明に係る実施例２の直線移動機構３０Ｂ及びこの直線移動機構３０Ｂを用いた光ディスク装置１０Ｂは、先に図１〜図６を用いて説明した本発明に係る実施例１の直線移動機構３０Ａ及びこの直線移動機構３０Ａを用いた光ディスク装置１０Ａの構成と一部を除いて同様の構成であり、ここでは説明の便宜上、先に示した構成部材に対しては同一の符号を付し、且つ、先に示した構成部材は必要に応じて適宜説明し、実施例１に対して異なる構成部材に新たな符号を付して説明する。
【００６５】
本発明に係る実施例２の直線移動機構３０Ｂ及びこの直線移動機構３０Ｂを用いた光ディスク装置１０Ｂでは、後述するように、光ピックアップベース２１上に回動可能に支持したアーム４２の両端部に第１，第２捩じりバネ４３，４４（図９）を取り付け、且つ、アーム４２に沿ってカムプレート５１を固着した上で、光ピックアップ移動体３１Ｂとナット部材３４Ｂとを分離して両者３１Ｂ，３４Ｂ間にリンクアーム５２を介在させ、このリンクアーム５２の一端側に突出形成した第１ピン部５２ａ（図９）を光ピックアップ移動体３１Ｂの裏面に回動自在に支持させると共に、リンクアーム５２の他端側に突出形成した第２ピン部５２ｂ（図９）をナット部材３４ＢのＺ字状カム溝部３４ｈ（図９）を通して光ピックアップベース２１上に取り付けたカムプレート５１の略階段状カム溝部５１ｃ（図９）に嵌合させることで、光ピックアップ移動体３１Ｂとナット部材３４Ｂとが一体的に矢印Ｙ１，Ｙ２方向に移動する第１態様と、光ピックアップ移動体３１Ｂが光ピックアップベース２１上に設けた第１，第２ストッパ２１ｃ，２１ｄに当接した後にナット部材３４Ｂのみが更に矢印Ｙ１，Ｙ２方向に移動する第２態様とを取りえるよう構成されている。
【００６６】
そして、光ピックアップ移動体３１Ｂが光ピックアップベース２１上に設けた第１ストッパ２１ｃ又は第２ストッパ２１ｄに当接して第１停止位置又は第２停止位置に至った後に、ナット部材３４Ｂのみが更に移動してアーム４２の時計方向の回動に伴って生じる第１捩じりバネ４３の付勢力で光ピックアップ移動体３１Ｂを第１ストッパ２１ｃ側（第１停止位置側）に押圧する一方、アーム４２の反時計方向の回動に伴って生じる第２捩じりバネ４４の付勢力で光ピックアップ移動体３１Ｂを第２ストッパ２１ｄ側（第２停止位置側）に押圧することを特徴とするものである。
【００６７】
以下、実施例２について具体的に説明に説明すると、図７に示した如く、本発明に係る実施例２の直線移動機構３０Ｂ及びこの直線移動機構３０Ｂを用いた光ディスク装置１０Ｂでも、不図示の筺体内にＢｌｕ−ｒａｙ  Ｄｉｓｃ，ＤＶＤ，ＣＤなどの複数種の光ディスクＤを選択的に搭載して回転駆動するスピンドルモータ１１が取り付けられている。
【００６８】
また、スピンドルモータ１１の右方には、複数種の光ディスクＤに対して選択的に記録又は再生をする光ピックアップ装置２０Ｂが不図示の筺体内で所定の間隔を離して互いに平行に設置した２本のガイドシャフト１２，１３に沿って光ディスクＤの径方向となる矢印Ｘ１，Ｘ２方向に直線移動自在に設けられている。
【００６９】
上記した光ピックアップ装置２０Ｂも、基台となる光ピックアップベース２１がアルミダイキャスト材を用いて箱状に形成されており、この光ピックアップベース２１のうちでガイドシャフト１２側に不図示のナット部材が取り付けられて、このナット部材が不図示のモータに固着したリードスクリューに螺合しているので、光ピックアップベース２１が矢印Ｘ１，Ｘ２方向に直線移動可能となっている。
【００７０】
また、光ピックアップベース２１内には、Ｂｌｕ−ｒａｙ  Ｄｉｓｃ，ＤＶＤ，ＣＤなどの複数種の光ディスクＤに対応して実施例１と同様に複数種の半導体レーザや複数の光学部品が内蔵されている。
【００７１】
また、光ピックアップベース２１の上面２１ａ上には、実施例２の直線移動機構３０Ｂを採用した光ピックアップ移動体３１Ｂの一端側と、この光ピックアップ移動体３１Ｂに対して分離して取り付けたナット部材３４Ｂとが光ピックアップベース２１上に２本のネジ３２を介して取り付けたスライドシャフト３３によって光ディスクＤの径方向と直交した接線方向となる矢印Ｙ１，Ｙ２方向に案内され、且つ、光ピックアップ移動体３１Ｂの他端側が光ピックアップベース２１の上面２１ａに形成したガイドレール２１ｂに案内されていると共に、ナット部材３４Ｂが光ピックアップベース２１上にモータブラケット３５を介して取り付けられたステッピングモータ３６の軸に固着したリードスクリュー３７に螺合していているので、ステッピングモータ３６を駆動することでリードスクリュー３７の回転に伴ってナット部材３４Ｂと一体に光ピックアップ移動体３１Ｂ及びナット部材３４Ｂが矢印Ｙ１，Ｙ２方向に直線移動可能となっている。
【００７２】
更に、光ピックアップ移動体３１Ｂ上には、光ピックアップ装置２０Ｂを構成する構成部材として、Ｂｌｕ−ｒａｙ  Ｄｉｓｃに対応して開口数（ＮＡ）が０．８５の第１対物レンズ３８を内蔵した第１光ピックアップ部３９が取り付けられ、且つ、ＤＶＤ及びＣＤに対応して開口数（ＮＡ）が０．６５の第２対物レンズ４０を内蔵した第２光ピックアップ部４１が取り付けられており、この際に第１，第２光ピックアップ部３９，４１同士が矢印Ｙ１，Ｙ２方向に沿って互いに対向している。尚、第１対物レンズ３８と第２対物レンズ４０との位置を入れ替えて良いものである。
【００７３】
この実施例２においても、複数種の光ディスクＤに対して選択的に記録又は再生をするには、ディスクＤの種類に対応して第１対物レンズ３８又は第２対物レンズ４０を光ディスクＤの中心を通り且つ２本のガイドシャフト１２，１３と平行な仮想中心線Ｋに沿って移動できるように第１対物レンズ３８又は第２対物レンズ４０の各記録再生位置を切り換える必要があるので、光ピックアップベース２１の上面２１ａ上の左右には、光ピックアップ移動体３１Ｂ上に取り付けた第１，第２光ピックアップ部３９，４１を各記録再生位置に対応する第１，第２停止位置にそれぞれ位置決めするための第１，第２ストッパ２１ｃ，２１ｄが一軸方向となる矢印Ｙ１，Ｙ２方向に所定の間隔を離して設けられている。
【００７４】
従って、図８（ａ）に示した如く、光ピックアップ移動体３１Ｂをスライドシャフト３３及び光ピックアップベース２１のガイドレール２１ｂに沿って矢印Ｙ１方向に移動させて、光ピックアップ移動体３１Ｂの右側を第１ストッパ２１ｃに当接させると、第１光ピックアップ部３９内の第１対物レンズ３８が前記した仮想中心線Ｋ上に位置するので、第１対物レンズ３８が第１停止位置に至る。
【００７５】
一方、図８（ｂ）に示した如く、光ピックアップ移動体３１Ｂをスライドシャフト３３及び光ピックアップベース２１のガイドレール２１ｂに沿って上記とは逆に矢印Ｙ２方向に移動させて、光ピックアップ移動体３１Ｂの左側を第２ストッパ２１ｄに当接させると、第２光ピックアップ部４１内の第１対物レンズ４０が前記した仮想中心線Ｋ上に位置するので、第２対物レンズ４０が第２停止位置に至る。
【００７６】
ここで、実施例２の直線移動機構３０Ｂの各構成部材について、図９〜１２を用いて説明する
まず、図９に示した如く、箱状に形成された光ピックアップベース２１の上面２１ａの略中央部位には、実施例１と同様に、モータブラケット３５を介してステッピングモータ３６の軸に固着したリードスクリュー３７が取り付けられている。
【００７７】
また、実施例１と同様に、光ピックアップベース２１の上面２１ａ上でリードスクリュー３７の近傍に軸部２１ｅが上方に向かって突出形成されており、且つ、第１ストッパ２１ｃと第２ストッパ２１ｄとの中間に位置した軸部２１ｅにアーム４２の中心に穿設した中心孔４２ａが嵌合して、アーム４２が軸部２１ｅを中心に時計方向又は反時計方向に回動自在に設けられている。
【００７８】
上記したアーム４２は、実施例１と同様に、中心孔４２ａを中心に左右対称に長尺に形成されており、且つ、中心孔４２ａを中心にした右側及び左側に後述する光ピックアップ移動体３１Ｂに形成した第１，第２被押圧部３１ｉ，３１ｊを押圧する第１，第２押圧部４２ｂ，４２ｃが所定の間隔を隔てて逆Ｌ字状に曲げ形成されていると共に、右端部４２ｄ及び左端部４２ｅに後述するナット部材３４Ｂに形成した第１，第２カム状バネ摺接部３４ｄ，３４ｅに摺接するように第１，第２捩じりバネ４３，４４が取り付けられている。この際、実施例２でも、第１捩じりバネ４３は、第１ストッパ２１ｃに当接した光ピックアップ移動体３１Ｂを第１ストッパ２１ｃ側に押圧する機能を備えており、一方、第２捩じりバネ４４は、第２ストッパ２１ｄに当接した光ピックアップ移動体３１Ｂを第２ストッパ２１ｄ側に押圧する機能を備えている。
【００７９】
また、実施例１とは異なって、光ピックアップベース２１の上面２１ａ上に形成したネジ部２１ｆにカムプレート５１の取り付け部５１ａが取り付けられている。
【００８０】
上記したカムプレート５１は、図１１（ａ），（ｂ）に拡大して示した如く、樹脂材を用いて取り付け部５１ａとカムプレート部５１ｂとが高さを僅かに違えて一体成形されている。この際、カムプレート５１のカムプレート部５１ｂに形成した略階段状カム溝部５１ｃは、第１傾斜カム溝５１ｃ１と水平カム溝５１ｃ２と第２傾斜カム溝５１ｃ３とが略階段状に連接されている。
【００８１】
そして、第１，第２捩じりバネ４３，４４を取り付けたアーム４２の中心孔４２ａを光ピックアップベース２１の上面２１ａ上の軸部２１ｅに回動可能に支持した上で、アーム４２の中心部位上方にカムプレート５１の略階段状カム溝部５１ｃが重なるようにカムプレート５１を光ピックアップベース２１の上面２１ａ上に取り付けた状態は、図１０に示した如くとなる。
【００８２】
図９に戻り、実施例１とは異なって、光ピックアップ移動体３１Ｂとナット部材３４Ｂとは分離されており、且つ、ナット部材３４Ｂを光ピックアップ移動体３１Ｂに跨がせて両者３１Ｂ，３４Ｂ間にリンクアーム５２を介装させた状態で両者３１Ｂ，３４Ｂをスライドシャフト３３に嵌合させている。
【００８３】
ここで、上記した光ピックアップ移動体３１Ｂは、実施例１と同様に、アルミダイキャスト材を用いて一体成形されており、平坦な上面３１ａ上にレーザ光を通過させる２個の貫通孔３１ｂ，３１ｃが穿設され、この上面３１ａ上に第１対物レンズ３８を内蔵した第１光ピックアップ部３９と第２対物レンズ４０を内蔵した第２光ピックアップ部４１とが矢印Ｙ１，Ｙ２方向に沿って取り付けられている。
【００８４】
また、光ピックアップ移動体３１Ｂは、上面３１ａよりも図示手前側にスライドシャフト３３が嵌合するシャフト孔３１ｄを有するシャフト孔用凸部３１ｅが矢印Ｙ１，Ｙ２方向に沿って分かれて上方に向かって突出形成され、且つ、シャフト孔用凸部３１ｅに連接してナット部材３４Ｂを後述するリンクアーム５２を介して連結させるためのナット支持部３１ｆがシャフト孔用凸部３１ｅよりも低い位置に平坦に形成されてここに孔３１ｋが穿設されていると共に、ナット支持部３１ｆの裏面側にアーム４２の第１，第２押圧部４２ｂ，４２ｃが当接しながら案内されるガイド壁部３１ｈが光ピックアップ移動体３１Ｂの移動方向（矢印Ｙ１，Ｙ２方向）と平行にアーム４２の第１，第２押圧部４２ｂ，４２ｃ間の間隔よりも長尺に形成され、更に、第１，第２ストッパ２１ｃ，２１ｄと対向するガイド壁部３１ｈの右側面側及び左側面側にアーム４２の第１，第２押圧部４２ｂ，４２ｃが当接して押圧される第１，第２被押圧部３１ｉ，３１ｊが形成されている。
【００８５】
また、図１２（ａ），（ｂ）に拡大して示した如く、上記したナット部材３４Ｂは樹脂材を用いて一体成形されており、平坦な被支持部３４ａの両側にスライドシャフト３３が嵌合するシャフト孔３４ｆを有するシャフト孔用凸部３４ｇが矢印Ｙ１，Ｙ２方向に沿って分かれて上方に向かって突出形成され、且つ、平坦な被支持部３４ａ上で光ピックアップ移動体３１Ｂのナット支持部３１ｆに重なる部位にＺ字状カム溝部３４ｈが貫通して穿設されている点が実施例１に対して異なっている。
【００８６】
この際、ナット部材３４Ｂの被支持部３４ａ上に形成したＺ字状カム溝部３４ｈは、第１水平溝３４ｈ１と垂直溝３４ｈ２と第２水平溝３４ｈとがＺ字状に連接されている。
【００８７】
一方、ナット部材３４Ｂの被支持部３４ａに連接して前記したリードスクリュー３７（図９）に螺合するナット部３４ｃが図示前方に向かって突出形成されていると共に、第１，第２ストッパ２１ｃ，２１ｄと対向する右側面及び左側面にアーム４２に取り付けた第１，第２捩じりバネ４３，４４が摺接する第１，第２カム状バネ摺接部３４ｄ，３４ｅが円弧状カムとして形成されている点は実施例１と同じである。この際、ナット部材３４Ｂのナット部３４ｃ内には不図示の圧縮バネが装着されており、この圧縮バネの付勢力でナット部３４ｃを前記したリードスクリュー３７（図９）に押し当て螺合させることで、リードスクリュー３７に対して側圧を付与している。
【００８８】
次に、光ピックアップ移動体３１Ｂとナット部材３４Ｂとの間に介装されるリンクアーム５２は、図１２（ａ），（ｂ）に拡大して示した如く、一端側から上方に向かって突出させた第１ピン部５２ａと、一端と反対の他端側から下方に向かって突出させた第２ピン部５２ｂとを備えている。
【００８９】
そして、リンクアーム５２の第１ピン部５２ａを、光ピックアップ移動体３１Ｂのナット支持部３１ｆの裏面側からここに形成した孔３１ｋ内に回動可能に支持させると共に、リンクアーム５２の第２ピン部５２ｂを、ナット部材３４Ｂの被支持部３４ａの上方からここに形成したＺ字状カム溝部３４ｈを通過させた後に、光ピックアップベース２１の上面２１ａ上に取り付けたカムプレート５１の略階段状カム溝部５１ｃ（図９，図１０）に嵌合させている。
【００９０】
従って、光ピックアップ移動体３１Ｂの上面３１ａ上に第１，第２光ピックアップ部３９，４１を取り付け、且つ、光ピックアップ移動体３１Ｂのナット支持部３１ｆの裏面にリンクアーム５２を介してナット部材３４Ｂを取り付けると、ナット部材３４Ｂは光ピックアップ移動体３１Ｂのナット支持部３１ｆの裏面を跨ぐので、光ピックアップ移動体３１Ｂとナット部材３４Ｂとがスライドシャフト３３に沿って移動可能になり、図１０に示した如くとなる。
【００９１】
そして、リンクアーム５２の第２ピン部５２ｂがカムプレート５１の略階段状カム溝部５１ｃ中の第１傾斜カム溝５１ｃ１，水平カム溝部５１ｃ２，第２傾斜カム溝５１ｃ２のいずれかに嵌合する位置に対応してリンクアーム５２を第１ピン部５２ａを中心にして回動させて、下記の図１３〜図１７に示したように、リンクアーム５２の第２ピン部５２ｂをナット部材３４ＢのＺ字状カム溝部３４ｈ中の第１水平溝３４ｈ１，垂直溝３４ｈ２，第２水平溝３４ｈ２のいずれかに嵌合するように切り換えている。
【００９２】
図１３（ａ），（ｂ）は本発明に係る実施例２の直線移動機構の動作を説明するための第１動作図、
図１４（ａ），（ｂ）は本発明に係る実施例２の直線移動機構の動作を説明するための第２動作図、
図１５（ａ），（ｂ）は本発明に係る実施例２の直線移動機構の動作を説明するための第３動作図、
図１６（ａ），（ｂ）は本発明に係る実施例２の直線移動機構の動作を説明するための第４動作図、
図１７（ａ），（ｂ）は本発明に係る実施例２の直線移動機構の動作を説明するための第５動作図である。
【００９３】
まず、図１３（ａ）に示した如く、実施例２の直線移動機構３０Ｂにおける第１動作図では、光ピックアップ移動体３１Ｂと、この光ピックアップ移動体３１Ｂの裏面にリンクアーム５２を介して連結されたナット部材３４Ｂとが一体となって、光ピックアップベース２１上に設けた第１ストッパ２１ｃと第２ストッパ２１ｄとの間をスライドシャフト３３に沿って矢印Ｙ１,Ｙ２方向に移動自在になっていると共に、後述するように、光ピックアップベース２１上に回動可能に設けたアーム４２は、光ピックアップ移動体３１Ｂの移動方向と平行な姿勢を取っている。
【００９４】
この際、図１３（ｂ）に拡大して示した如く、リンクアーム５２の第２ピン部５２ｂは、光ピックアップベース２１上のカムプレート５１に形成した略階段状カム溝部５１ｃ中の水平カム溝５１ｃ２内を矢印Ｙ１，Ｙ２方向に移動自在に嵌合するように第１ピン部５２ａを回動支点として回動するので、リンクアーム５２の第２ピン部５２ｂはナット部材３４Ｂに形成したＺ字状カム溝部３４ｈ中の垂直溝３４ｈ２の略中央部位に嵌合する。従って、リンクアーム５２の第２ピン部５２ｂがナット部材３４Ｂに形成したＺ字状カム溝部３４ｈ中の垂直溝３４ｈ２内に嵌合している時には、リンクアーム５２の第２ピン部５２ｂがＺ字状カム溝部３４ｈの垂直溝３４ｈ２内を左右移動できないために、光ピックアップ移動体３１Ｂとナット部材３４Ｂとが一体となって矢印Ｙ１,Ｙ２方向に移動自在になる第１態様を取ることになる。
【００９５】
次に、図１４（ａ）に示した如く、実施例２の直線移動機構３０Ｂにおける第２動作図では、光ピックアップ移動体３１Ｂと、この光ピックアップ移動体３１Ｂの裏面にリンクアーム５２を介して連結されたナット部材３４Ｂとが一体となって矢印Ｙ１方向に移動し、光ピックアップ移動体３１Ｂの右側面が光ピックアップベース２１上に設けた第１ストッパ２１ｃに当接して第１停止位置に至り、光ピックアップ移動体３１Ｂの矢印Ｙ１方向への移動が停止する。この場合も、光ピックアップベース２１上に回動可能に設けたアーム４２は、光ピックアップ移動体３１Ｂの移動方向と平行な姿勢を取っている。
【００９６】
この際、図１４（ｂ）に拡大して示した如く、リンクアーム５２の第２ピン部５２ｂは、光ピックアップベース２１上のカムプレート５１に形成した略階段状カム溝部５１ｃ中の第２傾斜カム溝５１ｃ３内に移動するように第１ピン部５２ａを回動支点として回動するので、リンクアーム５２の第２ピン部５２ｂはナット部材３４Ｂに形成したＺ字状カム溝部３４ｈ中の垂直溝３４ｈ２の略上方部位に嵌合する。従って、リンクアーム５２の第２ピン部５２ｂがナット部材３４Ｂに形成したＺ字状カム溝部３４ｈ中の垂直溝３４ｈ２内に嵌合している時には、リンクアーム５２の第２ピン部５２ｂがＺ字状カム溝部３４ｈの垂直溝３４ｈ２内を左右移動できないために、この段階まで光ピックアップ移動体３１Ｂとナット部材３４Ｂとが一体となって移動可能な第１態様を取ることになる。
【００９７】
次に、図１５（ａ）に示した如く、実施例２の直線移動機構３０Ｂにおける第３動作図では、光ピックアップ移動体３１Ｂが第１停止位置で停止しているものの、光ピックアップ移動体３１Ｂに対して分離したナット部材３４Ｂのみが更に矢印Ｙ１方向に移動可能になっている。この場合には、後述するように、ナット部材３４Ｂの矢印Ｙ１方向の移動に伴って、光ピックアップベース２１上に回動可能に設けたアーム４２は、時計方向に回動する。
【００９８】
この際、図１５（ｂ）に拡大して示した如く、リンクアーム５２の第２ピン部５２ｂは、光ピックアップベース２１上のカムプレート５１に形成した略階段状カム溝部５１ｃ中の第２傾斜カム溝５１ｃ３の上端部位に移動するように第１ピン部５２ａを回動支点として回動するので、リンクアーム５２の第２ピン部５２ｂはナット部材３４Ｂに形成したＺ字状カム溝部３４ｈ中の第１水平溝３４ｈ１に嵌合する。従って、リンクアーム５２の第２ピン部５２ｂがナット部材３４Ｂに形成したＺ字状カム溝部３４ｈ中の第１水平溝３４ｈ１内に嵌合している時には、リンクアーム５２の第２ピン部５２ｂがＺ字状カム溝部３４ｈの第１水平溝３４ｈ１内を移動できるので、ナット部材３４Ｂのみが更に矢印Ｙ１方向に移動自在になる第２態様を取ることになる。
【００９９】
次に、図１６（ａ）に示した如く、実施例２の直線移動機構３０Ｂにおける第４動作図では、光ピックアップ移動体３１Ｂと、この光ピックアップ移動体３１Ｂの裏面にリンクアーム５２を介して連結されたナット部材３４Ｂとが一体となって矢印Ｙ２方向に移動し、光ピックアップ移動体３１Ｂの左側面が光ピックアップベース２１上に設けた第２ストッパ２１ｄに当接して第２停止位置に至り、光ピックアップ移動体３１Ｂの矢印Ｙ２方向への移動が停止する。この場合も、光ピックアップベース２１上に回動可能に設けたアーム４２は、光ピックアップ移動体３１Ｂの移動方向と平行な姿勢を取っている。
【０１００】
この際、図１６（ｂ）に拡大して示した如く、リンクアーム５２の第２ピン部５２ｂは、光ピックアップベース２１上のカムプレート５１に形成した略階段状カム溝部５１ｃ中の第１傾斜カム溝５１ｃ１内に移動するように第１ピン部５２ａを回動支点として回動するので、リンクアーム５２の第２ピン部５２ｂはナット部材３４Ｂに形成したＺ字状カム溝部３４ｈ中の垂直溝３４ｈ２の略下方部位に嵌合する。従って、リンクアーム５２の第２ピン部５２ｂがナット部材３４Ｂに形成したＺ字状カム溝部３４ｈ中の垂直溝３４ｈ２内に嵌合している時には、リンクアーム５２の第２ピン部５２ｂがＺ字状カム溝部３４ｈの垂直溝３４ｈ２内を左右移動できないために、この段階でも光ピックアップ移動体３１Ｂとナット部材３４Ｂとが一体となって移動可能な第１態様を取ることになる。
【０１０１】
次に、図１７（ａ）に示した如く、実施例２の直線移動機構３０Ｂにおける第５動作図では、光ピックアップ移動体３１Ｂが第２停止位置で停止しているものの、光ピックアップ移動体３１Ｂに対して分離したナット部材３４Ｂのみが更に矢印Ｙ２方向に移動可能になっている。この場合には、後述するように、ナット部材３４Ｂの矢印Ｙ２方向の移動に伴って、光ピックアップベース２１上に回動可能に設けたアーム４２は、反時計方向に回動する。
【０１０２】
この際、図１７（ｂ）に拡大して示した如く、リンクアーム５２の第２ピン部５２ｂは、光ピックアップベース２１上のカムプレート５１に形成した略階段状カム溝部５１ｃ中の第１傾斜カム溝５１ｃ１の下端部位に移動するように第１ピン部５２ａを回動支点として回動するので、リンクアーム５２の第２ピン部５２ｂはナット部材３４Ｂに形成したＺ字状カム溝部３４ｈ中の第２水平溝３４ｈ３に嵌合する。従って、リンクアーム５２の第２ピン部５２ｂがナット部材３４Ｂに形成したＺ字状カム溝部３４ｈ中の第２水平溝３４ｈ３内に嵌合している時には、リンクアーム５２の第２ピン部５２ｂがＺ字状カム溝部３４ｈの第２水平溝３４ｈ３内を移動できるので、ナット部材３４Ｂのみが更に矢印Ｙ２方向に移動自在になる第２態様を取ることになる。
【０１０３】
次に、上記のように構成した実施例２の直線移動機構３０Ｂにおいて、光ピックアップ移動体３１Ｂを第１停止位置又は第２停止位置に押圧する動作について、図１８（ａ），（ｂ）及び図１９（ａ），（ｂ）を用いて説明する。
【０１０４】
図１８（ａ），（ｂ）は本発明に係る実施例２の直線移動機構及びこの直線移動機構を用いた光ディスク装置において、光ピックアップ移動体が第１停止位置に至った際に光ピックアップ移動体を第１ストッパ側に押圧する動作を説明するために裏面から見た平面図、
図１９（ａ），（ｂ）は本発明に係る実施例２の直線移動機構及びこの直線移動機構を用いた光ディスク装置において、光ピックアップ移動体が第２停止位置に至った際に光ピックアップ移動体を第２ストッパ側に押圧する動作を説明するために裏面から見た平面図である。
【０１０５】
この際、図１８（ａ），（ｂ）及び図１９（ａ），（ｂ）において、光ピックアップベース２１上では、アーム４２がこの中心孔４２ａを軸部２１ｅに嵌合して回動可能になっていると共に、光ピックアップ移動体３１Ｂと、光ピックアップ移動体３１Ｂに対して分離したナット部材３４Ｂとが光ピックアップベース２１上に設けた第１ストッパ２１ｃと第２ストッパ２１ｄとの間をスライドシャフト３３に案内されながらパルスモータ３６（図７，図９）によりパルス駆動されているので、光ピックアップ移動体３１Ｂの停止動作はパルス数の計数に基づいて行われている。
【０１０６】
まず、図１８（ａ）に示した如く、光ピックアップ移動体３１Ｂと、光ピックアップ移動体３１Ｂに対して分離したナット部材３４Ｂとが一体となってスライドシャフト３３に案内されながら矢印Ｙ１方向に向かって移動している最中では、光ピックアップ移動体３１Ｂのガイド壁部３１ｈに沿ってアーム４２の第１，第２押圧部４２ｂ，４２ｃが当接しているので、アーム４２は回動することなく光ピックアップ移動体３１Ｂの移動方向と平行な姿勢を取っている。従って、アーム４２の右端部４２ｄ及び左端部４２ｅに取り付けた第１，第２捩じりバネ４３，４４の各端部４３ａ，４４ａはナット部材３４Ｂの第１,第２カム状バネ摺接部３４ｄ，３４ｅに摺接しないので、第１，第２捩じりバネ４３，４４の付勢力が光ピックアップ移動体３１Ｂに加わらないために、光ピックアップ移動体３１Ｂを軽負荷で矢印Ｙ１方向に移動できる。
【０１０７】
更に、図１８（ｂ）に示した如く、光ピックアップ移動体３１Ｂと、光ピックアップ移動体３１Ｂに対して分離したナット部材３４Ｂとが一体となって更に矢印Ｙ１方向に移動すると、先に図１５を用いて説明したと同様に、光ピックアップ移動体３１Ｂの右側面が光ピックアップベース２１上の第１ストッパ２１ｃに当接して光ピックアップ移動体３１Ｂが第１停止位置に停止するものの、光ピックアップ移動体３１Ｂに対して分離したナット部材３４Ｂのみが更に第１ストッパ２１ｃの方向（矢印Ｙ１方向）に移動するので、アーム４２の右端部４２ｄに取り付けた第１捩じりバネ４３中で起立した端部４３ａがナット部材３４Ｂの第１カム状バネ摺接部３４ｄに当接してこの第１カム状バネ摺接部３４ｄに沿って摺接しながら下方に移動させられて第１カム状バネ摺接部３４ｄの下端部位に掛止されるために、これに伴って、アーム４２が光ピックアップベース２１上の軸部２１ｅを中心にして時計方向に回動する。
【０１０８】
そして、アーム４２が時計方向に回動すると、第１捩じりバネ４３の付勢力がアーム４２の第２押圧部４２ｃに伝達されて、このアーム４２の第２押圧部４２ｃが光ピックアップ移動体３１Ｂの第２被押圧部３１ｊに当接して第２被押圧部３１ｊに第１捩じりバネ４３の付勢力が加わるために、光ピックアップ移動体３１Ｂが光ピックアップベース２１上の第１ストッパ２１ｃ側に押圧されて第１停止位置に確実に位置決めされる。
【０１０９】
次に、図１９（ａ）に示した如く、光ピックアップ移動体３１Ｂと、光ピックアップ移動体３１Ｂに対して分離したナット部材３４Ｂとが一体となってスライドシャフト３３に案内されながら矢印Ｙ２方向に向かって移動している最中では、光ピックアップ移動体３１Ｂのガイド壁部３１ｈに沿ってアーム４２の第１，第２押圧部４２ｂ，４２ｃが当接しているので、アーム４２は回動することなく光ピックアップ移動体３１Ｂの移動方向と平行な姿勢を取っている。従って、アーム４２の右端部４２ｄ及び左端部４２ｅに取り付けた第１，第２捩じりバネ４３，４４の各端部４３ａ，４４ａはナット部材３４Ｂの第１,第２カム状バネ摺接部３４ｄ，３４ｅに摺接しないので、第１，第２捩じりバネ４３，４４の付勢力が光ピックアップ移動体３１Ｂに加わらないために、光ピックアップ移動体３１Ｂを軽負荷で矢印Ｙ２方向に移動できる。
【０１１０】
更に、図１９（ｂ）に示した如く、光ピックアップ移動体３１Ｂと、光ピックアップ移動体３１Ｂに対して分離したナット部材３４Ｂとが一体となって更に矢印Ｙ２方向に移動すると、先に図１７を用いて説明したと同様に、光ピックアップ移動体３１Ｂの左側面が光ピックアップベース２１上の第２ストッパ２１ｄに当接して光ピックアップ移動体３１Ｂが第２停止位置に停止するものの、光ピックアップ移動体３１Ｂに対して分離したナット部材３４Ｂのみが更に第２ストッパ２１ｄの方向（矢印Ｙ２方向）に移動するので、アーム４２の左端部４２ｅに取り付けた第２捩じりバネ４４中で起立した端部４４ａがナット部材３４Ｂの第２カム状バネ摺接部３４ｅに当接してこの第２カム状バネ摺接部３４ｅに沿って摺接しながら下方に移動させられて第２カム状バネ摺接部３４ｅの下端部位に掛止されるために、これに伴って、アーム４２が光ピックアップベース２１上の軸部２１ｅを中心にして反時計方向に回動する。
【０１１１】
そして、アーム４２が反時計方向に回動すると、第２捩じりバネ４３の付勢力がアーム４２の第１押圧部４２ｂに伝達されて、このアーム４２の第１押圧部４２ｂが光ピックアップ移動体３１Ｂの第１被押圧部３１ｉに当接して第１被押圧部３１ｉに第１捩じりバネ４３の付勢力が加わるために、光ピックアップ移動体３１Ｂが光ピックアップベース２１上の第２ストッパ２１ｄ側に押圧されて第２停止位置に確実に位置決めされる。
【０１１２】
上記したように、実施例２では、第１，第２光ピックアップ部３９，４１を取り付けた光ピックアップ移動体３１Ｂが第１ストッパ２１ｃ又は第２ストッパ２１ｄに当接したときのみ、光ピックアップ移動体３１Ｂに対して分離したナット部材３４Ｂのみが更に第１ストッパ２１ｃ側又は第２ストッパ２１ｄ側に移動することで、光ピックアップ移動体３１Ｂにアーム４２に取り付けた第１捩じりバネ４３の付勢力又は第２捩じりバネ４４の付勢力が加わるので、光ピックアップ移動体３１Ｂの移動中の負荷を実施例１よりも更に軽減することができると共に、光ピックアップ移動体３１Ｂが第１ストッパ２１ｃ又は第２ストッパ２１ｄに当接した第１停止位置又は第２停止位置で停止した時に、第１捩じりバネ４３の付勢力又は第２捩じりバネ４４の付勢力により第１ストッパ２１ｃ側又は第２ストッパ２１ｄ側に押圧されるので、予期しない振動や衝撃力が加わっても光ピックアップ移動体３１Ｂを第１光ピックアップ部３９の記録再生位置となる第１停止位置又は第２光ピックアップ部４１の記録再生位置となる第２停止位置に確実に位置決めすることができる。
【図面の簡単な説明】
【０１１３】
【図１】本発明に係る実施例１の直線移動機構及びこの直線移動機構を用いた光ディスク装置を示した斜視図である。
【図２】本発明に係る実施例１の直線移動機構及びこの直線移動機構を用いた光ディスク装置を示した平面図であり、（ａ）は第１対物レンズが第１停止位置に至った状態を示し、（ｂ）は第２対物レンズが第２停止位置に至った状態を示した図である。
【図３】本発明に係る実施例１の直線移動機構を分解して示した分解斜視図である。
【図４】本発明に係る実施例１の直線移動機構を一部分解して示した一部分解斜視図である。
【図５】（ａ），（ｂ）は本発明に係る実施例１の直線移動機構及びこの直線移動機構を用いた光ディスク装置において、光ピックアップ移動体が第１停止位置に至った際に光ピックアップ移動体を第１ストッパ側に押圧する動作を説明するために裏面から見た平面図である。
【図６】（ａ），（ｂ）は本発明に係る実施例１の直線移動機構及びこの直線移動機構を用いた光ディスク装置において、光ピックアップ移動体が第２停止位置に至った際に光ピックアップ移動体を第２ストッパ側に押圧する動作を説明するために裏面から見た平面図である。
【図７】本発明に係る実施例２の直線移動機構及びこの直線移動機構を用いた光ディスク装置を示した斜視図である。
【図８】本発明に係る実施例２の直線移動機構及びこの直線移動機構を用いた光ディスク装置を示した平面図であり、（ａ）は第１対物レンズが第１停止位置に至った状態を示し、（ｂ）は第２対物レンズが第２停止位置に至った状態を示した図である。
【図９】本発明に係る実施例２の直線移動機構を分解して示した分解斜視図である。
【図１０】本発明に係る実施例２の直線移動機構を一部分解して示した一部分解斜視図である。
【図１１】（ａ），（ｂ）は図９に示したカムプレートを拡大して示した側面図，上面図である。
【図１２】（ａ）は図９に示した光ピックアップ移動体，リンクアーム，ナット部材を拡大して示した斜視図であり、（ｂ）はナット部材を拡大して示した上面図である。
【図１３】（ａ），（ｂ）は本発明に係る実施例２の直線移動機構の動作を説明するための第１動作図である。
【図１４】（ａ），（ｂ）は本発明に係る実施例２の直線移動機構の動作を説明するための第２動作図である。
【図１５】（ａ），（ｂ）は本発明に係る実施例２の直線移動機構の動作を説明するための第３動作図である。
【図１６】（ａ），（ｂ）は本発明に係る実施例２の直線移動機構の動作を説明するための第４動作図である。
【図１７】（ａ），（ｂ）は本発明に係る実施例２の直線移動機構の動作を説明するための第５動作図である。
【図１８】（ａ），（ｂ）は本発明に係る実施例２の直線移動機構及びこの直線移動機構を用いた光ディスク装置において、光ピックアップ移動体が第１停止位置に至った際に光ピックアップ移動体を第１ストッパ側に押圧する動作を説明するために裏面から見た平面図である。
【図１９】（ａ），（ｂ）は本発明に係る実施例２の直線移動機構及びこの直線移動機構を用いた光ディスク装置において、光ピックアップ移動体が第２停止位置に至った際に光ピックアップ移動体を第２ストッパ側に押圧する動作を説明するために裏面から見た平面図である。
【図２０】従来の直線移動機構を用いた光ディスク装置を示した斜視図である。
【図２１】（ａ），（ｂ）は従来の直線移動機構中で光ピックアップ移動体と光ピックアップベースとを拡大して示した斜視図である。
【図２２】（ａ）〜（ｄ）は従来の直線移動機構の動作を説明するために模式的に示した図である。
【符号の説明】
【０１１４】
１０Ａ…実施例１の光ディスク装置、
１０Ｂ…実施例２の光ディスク装置、
１１…スピンドルモータ、１１，１２…ガイドシャフト、
２０Ａ…実施例１の光ピックアップ装置、
２０Ｂ…実施例２の光ピックアップ装置、
２１…光ピックアップベース、２１ａ…上面、２１ｂ…ガイドレール、
２１ｃ…第１ストッパ、２１ｄ…第２ストッパ、２１ｅ…軸部、
３０Ａ…実施例１の直線移動機構、
３０Ｂ…実施例２の直線移動機構、
３１Ａ…実施例１の光ピックアップ移動体、
３１Ｂ…実施例２の光ピックアップ移動体、
３１ａ…上面、３１ｂ，３１ｃ…貫通孔、３１ｄ…シャフト孔、
３１ｅ…シャフト孔用凸部、３１ｆ…ナット支持部、３１ｇ…ネジ孔、
３１ｈ…ガイド壁部、３１ｉ…第１被押圧部、３１ｊ…第２被押圧部、３１ｋ…孔、
３２…ネジ、３３…スライドシャフト、
３４Ａ…実施例１のナット部材、
３４Ｂ…実施例２のナット部材、
３４ａ…被支持部、３４ｂ…取り付け孔、３３ｃ…ナット部、
３４ｄ…第１カム状バネ摺接部、３４ｅ…第２カム状バネ摺接部、
３４ｆ…シャフト孔、３４ｇ…シャフト孔用凸部、３４ｈ…Ｚ字状カム溝部、
３４ｈ１…第１水平溝、３４ｈ２…垂直溝、３４ｈ３…第２水平溝、
３５…モータブラケット、３６…ステッピングモータ、３７…リードスクリュー、
３８…第１対物レンズ、３９…第１光ピックアップ部、
４０…第２対物レンズ、４１…第２光ピックアップ部、
４２…アーム、４２ａ…中心孔、４２ｂ…第１押圧部、４２ｃ…第２押圧部、
４２ｄ…右端部、４２ｅ…左端部、４３…第１捩じりバネ、４４…第２捩じりバネ、
４４…皿ネジ、
５１…カムプレート、５１ａ…取り付け部、５１ｂ…カムプレート部、
５１ｃ…略階段状カム溝部、５１ｃ１…第１傾斜カム溝、５１ｃ２…水平カム溝、
５１ｃ３…第２傾斜カム溝、
Ｄ…光ディスク、Ｋ…仮想中心線。
【図１】
2008171508.tif 000003
【図２】
2008171508.tif 000004
【図３】
2008171508.tif 000005
【図４】
2008171508.tif 000006
【図５】
2008171508.tif 000007
【図６】
2008171508.tif 000008
【図７】
2008171508.tif 000009
【図８】
2008171508.tif 000010
【図９】
2008171508.tif 000011
【図１０】
2008171508.tif 000012
【図１１】
2008171508.tif 000013
【図１２】
2008171508.tif 000014
【図１３】
2008171508.tif 000015
【図１４】
2008171508.tif 000016
【図１５】
2008171508.tif 000017
【図１６】
2008171508.tif 000018
【図１７】
2008171508.tif 000019
【図１８】
2008171508.tif 000020
【図１９】
2008171508.tif 000021
【図２０】
2008171508.tif 000022
【図２１】
2008171508.tif 000023
【図２２】
2008171508.tif 000024